(57)【要約】【課題】作業効率を向上させることができる、便座及び便座の製造方法を提供する。【解決手段】便座１は、内部空間を有する便座本体２と、便座本体２に設けられ便座本体２にかかる荷重により着座を検知する着座検知部５と、便座本体２の内部に配置され着座検知部５と制御部とを電気的に接続するリード線６と、を備える。便座本体２の下壁部には、便座本体２の内部空間と外部空間を連通し、着座検知部５と接続される側のリード線６の先端が挿通可能となる第一挿通孔４１が形成される。便座本体２の下壁部には、便座本体２の内部空間と外部空間を連通し、便座本体２の内部に配置されるリード線６を引張ることが可能となる第二挿通孔４３が形成されることを特徴とする。【選択図】図２
2015167811.tif 000002
【特許請求の範囲】
【請求項１】
内部空間を有する便座本体と、
前記便座本体に設けられ前記便座本体にかかる荷重により着座を検知する着座検知部と、
前記便座本体の内部に配置され前記着座検知部と制御部とを電気的に接続するリード線と、を備え、
前記便座本体の下壁部には、前記便座本体の内部空間と外部空間を連通し、前記着座検知部と接続される側の前記リード線の先端が挿通可能となる第一挿通孔が形成される便座であって、
前記便座本体の下壁部には、前記便座本体の内部空間と外部空間を連通し、前記便座本体の前記内部に配置される前記リード線を引張ることが可能となる第二挿通孔が形成されることを特徴とする便座。
【請求項２】
前記第一挿通孔には、前記第一挿通孔を塞ぎ前記便座本体にかかる荷重を支持し且つ前記着座検知部に伝える第一脚部が取付けられ、
前記第二挿通孔には、前記第二挿通孔を塞ぎ前記便座本体にかかる荷重を支持する第二脚部が取付けられることを特徴とする請求項１に記載の便座。
【請求項３】
請求項１又は請求項２に記載された便座の製造方法であって、
前記第一挿通孔から前記リード線の先端が引出され、
前記着座検知部と前記第一挿通孔から引出された前記リード線の先端が接続され、
前記着座検知部と接続された前記リード線が弛まないように、前記第二挿通孔を介して前記リード線が引出されながら、前記着座検知部が前記便座本体に取付けられ、
前記着座検知部が前記便座本体に取付けられた後、前記第二挿通孔から前記便座本体外に出た前記リード線が前記第二挿通孔に挿入され、
前記第一挿通孔には第一脚部が取付けられ、前記第二挿通孔には第二脚部が取付けられることを特徴とする便座の製造方法。
【発明の詳細な説明】
【技術分野】
【０００１】
本発明は、一般に便座及び便座の製造方法であり、より詳細には便座本体の内部にリード線が配置された便座及び便座の製造方法に関する。
【背景技術】
【０００２】
従来、内部空間を有する便座本体と、便座本体に設けられる着座検知部と、着座検知部と制御部を電気的に接続するリード線と、を備えた便座が知られている（例えば特許文献１参照）。
【先行技術文献】
【特許文献】
【０００３】
【特許文献１】特開平９−１４９８６６号公報
【発明の概要】
【発明が解決しようとする課題】
【０００４】
ところで、特許文献１に記載されている発明では、便座本体の下壁部の先端部に、着座検知部が取付けられた第一脚部が取付けられる第一挿通孔が一ヵ所形成される。そして、便座本体の下壁部には、第一挿通孔以外の場所に、第一脚部と同じ高さを有する緩衝体が三個取付けられる。
【０００５】
第一脚部の第一挿通孔への取付けは、以下に示すように行われる。まず、一方のリード線の先端が制御部に接続され、他方のリード線の先端が第一挿通孔から引き出され、着座検知部に接続される。そして、リード線が便座本体の内部空間に押し込まれ、第一脚部が第一挿通孔に取付けられていた。
【０００６】
ここで、便座本体の内部空間にリード線が押し込まれる際、押し込まれるリード線は複雑に折畳まれ絡み合うので、リード線が第一挿通孔の開口付近に集まり、第一挿通孔から便座本体外にはみ出てしまっていた。そのため、作業者はリード線を第一挿通孔から便座本体の内部空間に押し込み直さなければならず、作業効率が低下してしまっていた。
【０００７】
本発明は上記従来の問題点に鑑みて発明したものであって、その目的とするところは、作業効率を向上させることができる、便座及び便座の製造方法を提供することを課題とするものである。
【課題を解決するための手段】
【０００８】
上記課題を解決するために、本発明は、以下のような構成とする。
【０００９】
内部空間を有する便座本体と、前記便座本体に設けられ前記便座本体にかかる荷重により着座を検知する着座検知部と、前記便座本体の内部に配置され前記着座検知部と制御部とを電気的に接続するリード線と、を備え、前記便座本体の下壁部には、前記便座本体の内部空間と外部空間を連通し、前記着座検知部と接続される側の前記リード線の先端が挿通可能となる第一挿通孔が形成される便座であって、前記便座本体の下壁部には、前記便座本体の内部空間と外部空間を連通し、前記便座本体の前記内部に配置される前記リード線を引張ることが可能となる第二挿通孔が形成されることを特徴とする。
【００１０】
また、前記第一挿通孔には、前記第一挿通孔を塞ぎ前記便座本体にかかる荷重を支持し且つ前記着座検知部に伝える第一脚部が取付けられ、前記第二挿通孔には、前記第二挿通孔を塞ぎ前記便座本体にかかる荷重を支持する第二脚部が取付けられることが好ましい。
【００１１】
上記した構成を有する便座の製造方法であって、前記第一挿通孔から前記リード線の先端が引出され、前記着座検知部と前記第一挿通孔から引出された前記リード線の先端が接続され、前記着座検知部と接続された前記リード線が弛まないように、前記第二挿通孔を介して前記リード線が引出されながら、前記着座検知部が前記便座本体に取付けられ、前記着座検知部が前記便座本体に取付けられた後、前記第二挿通孔から前記便座本体外に出た前記リード線が前記第二挿通孔に挿入され、前記第一挿通孔には、前記便座本体にかかる荷重を前記着座検知部に伝える第一脚部が取付けられ、前記第二挿通孔には、第二脚部が取付けられることを特徴とする。
【発明の効果】
【００１２】
本発明の便座は、便座本体の内部に配置されたリード線を引張ることができる第二挿通孔が形成されているので、作業者は第二挿通孔を介してリード線を引きながら着座検知部を便座本体に取付けることができる。これにより、リード線を第一挿通孔に押し込みながら着座検知部を便座本体に取付けるよりも、便座本体に着座検知部を取付け易くなり、作業者の作業効率を向上させることができる。
【００１３】
本発明の便座の製造方法は、着座検知部を便座本体に取付ける際、作業者は第二挿通孔を介してリード線を引きながら着座検知部を便座本体に取付ける。作業者はリード線を第一挿通孔に押し込む必要がないので、リード線が複雑に折畳まれ絡み合わなくなり、第一挿通孔の開口付近にリード線が集まり、第一挿通孔から便座本体外にリード線がはみ出ることが無くなる。従って、リード線を第一挿通孔に押し込みながら着座検知部を便座本体に取付けるよりも、便座本体に着座検知部を取付け易くなり、作業者の作業効率を向上させることができる。
【図面の簡単な説明】
【００１４】
【図１】便座本体を上側便座部材と下側便座部材とに分けた分解斜視図である。
【図２】第一挿通孔と第二挿通孔の位置を示した上側便座部材の底面図である。
【図３】下側便座部材の先端部を拡大した部分拡大図である。
【図４】第一挿通孔に取付けられる第一脚部の分解斜視図である。
【図５】第二挿通孔に取付けられる第二脚部の分解斜視図である。
【図６】（ａ）は第一挿通孔からリード線を引出した部分拡大図であり、（ｂ）は第二挿通孔からリード線を取出した便座の斜視図であり、（ｃ）は第一挿通孔に第一脚部を取付けた部分拡大斜視図であり、（ｄ）は第二挿通孔に第二脚部を取付けた部分拡大斜視図である。
【発明を実施するための形態】
【００１５】
以下、本発明を添付図面に示す実施形態に基いて説明する。
【００１６】
便座１は、その後端部が便器（図示せず）の後端部に回動自在に取付けられる。便座１は、便器のリムに対して略垂直となる起立姿勢と、リムに当接し略水平となる伏臥姿勢と、に姿勢を変えることができる。また、便器の後端部には、便座１を覆う便蓋が回動自在に取付けられる。便蓋は、便座１と同様に、便器のリムに対して略垂直となる起立姿勢と、リムに対して略水平となる伏臥姿勢と、に姿勢を変えることができる。
【００１７】
便器は、例えばボウル、リム、スカート、支持フレーム、支持フレームを覆うカバー、等を備える。便器には、ボウルに洗浄水を吐出する吐出ノズル、便座１を温める暖房装置、局部洗浄用の温水洗浄装置、乾燥装置、脱臭装置、等と電気的に接続され、各装置の制御を行う制御部（図示せず）が設置される。
【００１８】
便座１は、図１に示すように、内部空間を有する便座本体２を備える。便座本体２は、上壁部を形成する上側便座部材３と、下壁部を形成する下側便座部材４と、を有する。
【００１９】
便座１は、便座本体２に取付けられ便座本体２にかかる荷重により着座を検知する着座検知部５を備える。着座検知部５と制御部は、便座本体２の内部に配置されるリード線６により電気的に接続される。
【００２０】
着座検知部５は、本実施形態では、下側便座部材４に取付けられる。着座検知部５は、便座１が伏臥姿勢のとき、使用者が便座１に着座し、便座本体２に所定以上の荷重がかかった際に作動する。着座検知部５は、例えば使用者が便座１に着座した際に荷重がかかり、後述する第一脚部７の緩衝体７２が圧縮されることによりスイッチが押される構成が考えられる。また、着座検知部５は、例えば使用者が便座１に着座した際にかかる圧力を測定するといった構成が考えられる。ここで、使用者の便座１への着座を検知する方法は限定されない。なお、着座検知部５が取付けられる場所は下側便座部材４に限定されず、例えば第一脚部７に取付けられてもよく、便座１で最適な場所に着座検知部５が取付けられる。
【００２１】
着座検知部５には、先端にコネクタ５２を有する導線５１が取付けられることが好ましい。
【００２２】
リード線６は、本実施形態では、図２に示すように、上側便座部材３の内面に固定される。リード線６は、上側便座部材３の内面に配設される複数の固定部材３２により固定される。固定部材３２は、上側便座部材３と一体に形成されることが好ましいが、別体で設けられ接着剤等で接合してもよい。固定部材３２は、例えばフックが考えられるが、特に限定されない。リード線６は、固定部材３２により上側便座部材３の内面に、所定経路を通るように固定されることが好ましい。なお、リード線６は下側便座部材４の内面に固定されてもよく、リード線６が固定される場所は限定されない。
【００２３】
リード線６は、市場に一般に流通しているリード線６が用いられる。リード線６の先端には、着座検知部５のコネクタ５２と連結するコネクタ６１が取付けられていることが好ましい。
【００２４】
下側便座部材４は、上方に開口した断面視略Ｕ字状の帯体が平面視略楕円形又は略Ｕ字状に連続して形成される。下側便座部材４は、例えば射出成形法や真空成形法によって形成されるが、製造方法は限定されない。下側便座部材４は、例えば合成樹脂材によって形成されるが、材質は限定されない。
【００２５】
下側便座部材４には、便座本体２の内部空間と外部空間とを連通し、着座検知部５と接続される側のリード線６が挿通可能となる第一挿通孔４１が形成される。本実施形態では、第一挿通孔４１から着座検知部５が便座本体２の内部空間に挿入される。
【００２６】
第一挿通孔４１は、本実施形態では、図２に示すように、下側便座部材４の先端側に、上側便座部材３の内面に固定されているリード線６の経路に臨んで形成される。第一挿通孔４１は、下側便座部材４の厚み方向に貫通して形成される。第一挿通孔４１は、便座１の左右方向の幅の中心線に対して線対称に配置される。第一挿通孔４１は、二ヵ所形成されているが、その数は限定されない。第一挿通孔４１は、便座本体２の周方向に長い、略楕円形状となっているが、その形状は限定されない。
【００２７】
下側便座部材４には、図３に示すように、着座検知部５が収納されるための収納部４２が設けられることが好ましい。収納部４２は、下側便座部材４から上方に向かって凸に形成される。収納部４２の下方の開口は第一挿通孔４１と繋がる。収納部４２の上端部には、上側便座部材３の内面に固定されているリード線６を、治具により便座本体２外に引出すための引出し孔４２ａが形成される。収納部４２には第一挿通孔４１を通過した着座検知部５が挿入され、そして収納部４２内に着座検知部５が固定される。収納部４２に着座検知部５が固定されるために、例えば着座検知部５に爪が設けられ、その爪が差込まれる孔が収納部４２の側端部に設けられることが考えられるが、着座検知部５が収納部４２に固定される方法は限定されない。なお、収納部４２は設けられなくともよく、任意の構成である。
【００２８】
第一挿通孔４１には、図４に示すように、第一挿通孔４１を塞ぎ便座本体２にかかる荷重を支持し且つ着座検知部５に伝える第一脚部７が取付けられる。第一脚部７は、便座本体２を支持することができると共に、第一挿通孔４１を塞ぐので便座本体２の外観を良くすることができる。また第一脚部７により、便座本体２内部に水等が浸入し難くなり、便座本体２の水密性が向上する。第一脚部７は、下側便座部材４の下面と略面一に設けられる基部７１と、基部７１の中央に設けられる緩衝体７２と、下側便座部材４に引掛けられる引掛け部７３と、を有する。
【００２９】
緩衝体７２は、基部７１の中央から下方に突出している。緩衝体７２は、ゴム等の弾性を有する材質で形成されることが好ましい。これにより、緩衝体７２は、便座１が起立姿勢から伏臥姿勢になるとき、下側便座部材４が便器のリムと当接する衝撃を抑制することができる。
【００３０】
緩衝体７２は下方に突出しているので、便座１が伏臥姿勢のとき、便座１に使用者が着座し所定以上の荷重がかかると、便座１と便器に挟まれ圧縮される。緩衝体７２が圧縮されることを利用して、上述したように便座本体２に荷重を伝えることができる。
【００３１】
下側便座部材４には、便座本体２の内部空間と外部空間を連通し、便座本体２の内部に配置されるリード線６を引張ることが可能となる第二挿通孔４３が形成される。
【００３２】
第二挿通孔４３は、本実施形態では、図２に示すように、下側便座部材４の基端側に、上側便座部材３の内面に固定されているリード線６の経路に臨んで形成される。第二挿通孔４３は、下側便座部材４の厚み方向に貫通して形成される。第二挿通孔４３は、便座１の左右方向の幅の中心線に対して線対称に配置される。第二挿通孔４３は、二ヵ所形成されているが、その数は限定されない。第二挿通孔４３は、便座本体２の周方向に長い、略楕円形状となっているが、その形状は限定されない。
【００３３】
第二挿通孔４３には、図５に示すように、第二挿通孔４３を塞ぎ便座本体２にかかる荷重を支持する第二脚部８が取付けられる。第二脚部８は、便座本体２を支持することができると共に、第二挿通孔４３を塞ぐので便座本体２の外観を良くすることができる。また第二脚部８により、便座本体２内部に水等が浸入し難くなり、便座本体２の水密性が保たれる。第二脚部８は、下側便座部材４の下面と略面一に設けられる基部８１と、基部８１の中央に設けられる緩衝体８２と、下側便座部材４に引掛けられる引掛け部８３と、を有する。
【００３４】
第二脚部８の緩衝体８２は、基部８１の中央に基部８１と面一に設けられる。緩衝体８２は、ゴム等の弾性を有する材質で形成されることが好ましい。これにより、緩衝体８２は、便座１が起立姿勢から伏臥姿勢になるとき、下側便座部材４が便器のリムと当接する衝撃を抑制することができる。
【００３５】
上側便座部材３は、図１に示すように、下方に開口した断面視略Ｕ字状の帯体が平面視略楕円形又は略Ｕ字状に連続して形成される。上側便座部材３の上面は、上側便座部材３の外周端から上側便座部材３の内周端に行く程下方に位置するように傾斜するのが好ましい。これにより、上側便座部材３の上面が、使用者の臀部に沿うように形成されるので、便座１の座り心地が良くなる。上側便座部材３は、例えば射出成形法や真空成形法によって形成されるが、製造方法は限定されない。上側便座部材３は、例えば合成樹脂材によって形成されるが、材質は限定されない。
【００３６】
上側便座部材３の後端部には、便器の後端部に回動自在に取付けられる一対の枢支部３１が設けられる。
【００３７】
上側便座部材３の内面には、図２に示すように、収納部４２の上端面と上側便座部材３の裏面との間にリード線６が移動しないようにする規制リブ３３が設けられることが好ましい。規制リブ３３が設けられることにより、使用者が着座した際、収納部４２と上側便座部材３とでリード線６を挟みこむことによる断線を防ぐことができる。なお、規制リブ３３は設けられなくともよく、任意の構成である。
【００３８】
上記した構成の便座１の製造方法について以下に示す。
【００３９】
作業者は、上側便座部材３の裏面に配設されている複数の固定部材３２にリード線６を固定し、リード線６が所定経路を通るようにする。作業者は、上側便座部材３と下側便座部材４とを重ね合わせ、振動溶着により接合する。作業者は、図６（ａ）に示すように、収納部４２の引出し孔４２ａからリード線６の先端部を便座本体２の外へ引出す。作業者は、リード線６の先端のコネクタ６１と着座検知部５の導線５１の先端のコネクタ５２とを連結する。作業者は、図６（ｂ）に示すように、第二挿通孔４３からリード線６の中途部を便座本体２の外へ取出す。作業者は、着座検知部５と接続したリード線６が弛まないように、第二挿通孔４３から取出したリード線６を引きながら、着座検知部５を収納部４２に収納する。作業者は、第二挿通孔４３から取出したリード線６を束ねて第二挿通孔４３に挿入し、便座本体２の内部空間にリード線６を収める。そして、作業者は、図６（ｃ）に示すように、第一挿通孔４１に第一脚部７を嵌め込み、図６（ｄ）に示すように、第二挿通孔４３に第二脚部８を嵌め込む。
【００４０】
以上のような構成の便座１では、便座本体２に固定されたリード線６を引張ることが可能となる第二挿通孔４３が形成されているので、第二挿通孔４３から取出したリード線６を引きながら着座検知部５を収納部４２に収納することができる。これにより、リード線６を第一挿通孔４１に押し込みながら着座検知部５を収納部４２に収納するよりも、便座本体２に着座検知部５を収納し易くなり、作業者の作業効率を向上させることができる。
【００４１】
また、以上のような構成をした便座１の製造方法では、着座検知部５を収納部４２に収納する際、作業者は第二挿通孔４３から取出したリード線６を引きながら着座検知部５を収納部４２に収納する。リード線６は第一挿通孔４１に押し込む必要がないので、リード線６が複雑に折畳まれ絡み合わなくなり、第一挿通孔４１の開口付近に集まり、第一挿通孔４１から便座本体２外にリード線６がはみ出ることが無くなる。従って、リード線６を第一挿通孔４１に押し込みながら着座検知部５を収納部４２に収納するよりも、便座本体２に着座検知部５を収納し易くなり、作業者の作業効率を向上させることができる。
【００４２】
本実施形態の便座１は、以下のような構成となる。
【００４３】
便座１は、内部空間を有する便座本体２と、便座本体２に設けられ便座本体２にかかる荷重により着座を検知する着座検知部５と、便座本体２の内部に配置され着座検知部５と制御部とを電気的に接続するリード線６と、を備える。便座本体２の下壁部には、便座本体２の内部空間と外部空間を連通し、着座検知部５と接続される側のリード線６の先端が挿通可能となる第一挿通孔４１が形成される。便座本体２の下壁部には、便座本体２の内部空間と外部空間を連通し、便座本体２の内部に配置されるリード線６を引張ることが可能となる第二挿通孔４３が形成されることを特徴とする。
【００４４】
このように、便座本体２に固定されたリード線６を引張ることが可能となる第二挿通孔４３が形成されているので、第二挿通孔４３から取出したリード線６を引きながら着座検知部５を収納部４２に収納することができる。これにより、リード線６を第一挿通孔４１に押し込みながら着座検知部５を収納部４２に収納するよりも、便座本体２に着座検知部５を収納し易くなり、作業者の作業効率を向上させることができる。
【００４５】
また、第一挿通孔４１には、第一挿通孔４１を塞ぎ便座本体２にかかる荷重を支持し且つ着座検知部５に伝える第一脚部７が取付けられる。第二挿通孔４３には、第二挿通孔４３を塞ぎ便座本体２にかかる荷重を支持する第二脚部８が取付けられることが好ましい。
【００４６】
このように、第一脚部７と第二脚部８は、便座本体２を支持することができると共に、第一挿通孔４１と第二挿通孔４３を塞ぐので便座本体２の外観を良くすることができる。また、第一脚部７と第二脚部８は便座本体２の水密性を向上させることができる。
【００４７】
本実施形態の便座１の製造方法は、以下のようになる。
【００４８】
上記した構成を有する便座１の製造方法であって、作業者は、第一挿通孔４１からリード線６の先端を引出し、着座検知部５と第一挿通孔４１から引出したリード線６の先端を接続する。作業者は、着座検知部５と接続したリード線６が弛まないように、第二挿通孔４３を介してリード線６を引出しながら、着座検知部５を便座本体に取付ける。作業者は、着座検知部５を便座本体に取付けると、第二挿通孔４３から便座本体２外に出たリード線６を第二挿通孔４３に挿入する。作業者は、第一挿通孔４１に、便座本体２にかかる荷重を着座検知部５に伝える第一脚部７を取付ける。作業者は、第二挿通孔４３に、第二脚部８を取付けることを特徴とする。
【００４９】
このように、着座検知部５を収納部４２に収納する際、作業者は第二挿通孔４３から取出したリード線６を引きながら着座検知部５を収納部４２に収納する。リード線６は第一挿通孔４１に押し込む必要がないので、リード線６が複雑に折畳まれ絡み合わなくなり、第一挿通孔４１の開口付近に集まり、第一挿通孔４１から便座本体２外にリード線６がはみ出ることが無くなる。従って、リード線６を第一挿通孔４１に押し込みながら着座検知部５を収納部４２に収納するよりも、便座本体２に着座検知部５を収納し易くなり、作業者の作業効率を向上させることができる。
【符号の説明】
【００５０】
１    便座
２    便座本体
３    上側便座部材
４    下側便座部材
４１  第一挿通孔
４３  第二挿通孔
５    着座検知部
６    リード線
７    第一脚部
７２  緩衝体
８    第二脚部
８２  緩衝体
【図１】
2015167811.tif 000003
【図２】
2015167811.tif 000004
【図３】
2015167811.tif 000005
【図４】
2015167811.tif 000006
【図５】
2015167811.tif 000007
【図６】
2015167811.tif 000008